(57)【要約】【課題】遊技媒体の払出機能と計数機能を兼ね備えるとともに、遊技者の利便性を高めた遊技媒体貸出機を提供することを課題とする。【解決手段】本発明の遊技媒体貸出機１では、計数メダル受皿部７と、計数メダル通路の少なくとも一部と、払い出しメダル通路の少なくとも一部と、を１つの部材として構成した払出機能・計数機能兼備用部材５０を用いることで、メダルの払出機能と計数機能を兼ね備えるとともに、遊技者の利便性を高めることができる。【選択図】図２
2014036831.tif 000002
【特許請求の範囲】
【請求項１】
遊技媒体を用いて遊技を行う遊技機に隣接して設置され、遊技者によって貨幣が投入されると所定数の遊技媒体を払い出す払出機能とともに前記遊技媒体の計数機能を有する遊技媒体貸出機であって、
前記遊技者が計数のために投入する前記遊技媒体を受ける計数遊技媒体受皿部と、
前記計数遊技媒体受皿部から計数ホッパーまでの計数遊技媒体通路部の少なくとも一部と、
前記遊技媒体の払い出しホッパーから遊技媒体払い出し口までの払い出し遊技媒体通路部の少なくとも一部と、
を一体の部材として構成した払出機能・計数機能兼備用部材を備える
ことを特徴とする遊技媒体貸出機。
【請求項２】
前記計数遊技媒体受皿部は、
前記払出機能・計数機能兼備用部材の上部に設けられ、上向きに開口し、前記遊技者が計数のために投入する前記遊技媒体を受ける開口部を有する
ことを特徴とする請求項１に記載の遊技媒体貸出機。
【請求項３】
前記計数遊技媒体受皿部は、
前記開口部を開閉可能な蓋を備える
ことを特徴とする請求項２に記載の遊技媒体貸出機。
【請求項４】
前記蓋は、物を載置する載置部を備える
ことを特徴とする請求項３に記載の遊技媒体貸出機。
【請求項５】
前記蓋は、前記開口部に対して着脱自在に形成されている
ことを特徴とする請求項３又は請求項４に記載の遊技媒体貸出機。
【請求項６】
前記計数遊技媒体受皿部は、
前記遊技者が計数のために前記遊技媒体を前記開口部に投入する際の投入場所を案内表示する第一表示手段を備える
ことを特徴とする請求項２乃至請求項５のいずれか一項に記載の遊技媒体貸出機。
【請求項７】
前記計数遊技媒体受皿部は、
前記開口部に流し込まれた液体を前記計数遊技媒体通路部から逃がすように下方に誘導する液体流下孔と、
前記液体流下孔から下方に誘導された前記液体を前記遊技媒体貸出機の外部に排出する液体排出孔と、を備える
ことを特徴とする請求項２乃至請求項６のいずれか一項に記載の遊技媒体貸出機。
【請求項８】
前記計数遊技媒体通路部に、前記計数ホッパーに前記遊技媒体が流入するのを防ぐ遮蔽部を備える
ことを特徴とする請求項１乃至請求項７のいずれか一項に記載の遊技媒体貸出機。
【請求項９】
前記払い出しホッパーから払い出される前記遊技媒体を前記遊技機の下皿に誘導するノズルを、前記計数遊技媒体受皿部よりも下方に備える
ことを特徴とする請求項１乃至請求項８のいずれか一項に記載の遊技媒体貸出機。
【請求項１０】
前記ノズルは、前記ノズルの先端の位置を前記遊技機の下皿の位置に合わせるために前記ノズルを水平方向に回転させる回転軸、および、上下を含む平面方向に回転させる回転軸の少なくともいずれかを有する
ことを特徴とする請求項９に記載の遊技媒体貸出機。
【請求項１１】
前記払い出しホッパー及び前記計数ホッパーを収納するとともに前記払出機能・計数機能兼備用部材が取り付けられる本体を備え、
前記払い出しホッパーは、前記計数ホッパーの上方に収納される
ことを特徴とする請求項１乃至請求項１０のいずれか一項に記載の遊技媒体貸出機。
【請求項１２】
前記本体は、
前記計数ホッパーから放出された前記遊技媒体を、前記本体の下部を構成する底板から外部に誘導する下方向誘導部材を備えている
ことを特徴とする請求項１１に記載の遊技媒体貸出機。
【請求項１３】
前記下方向誘導部材は、前記底板のうち、前記本体の背部を構成する背板側に形成されている
ことを特徴とする請求項１２に記載の遊技媒体貸出機。
【請求項１４】
前記本体は、
前記計数ホッパーから放出された前記遊技媒体を、前記本体の背部を構成する背板から外部に誘導する背面方向誘導部材を備えている
ことを特徴とする請求項１１に記載の遊技媒体貸出機。
【請求項１５】
前記本体は、
前記払い出しホッパーの上方に設けられ、前記払い出しホッパーに前記遊技媒体を補充するための遊技媒体補充部を備え、
前記遊技媒体補充部は、
前記本体の正面に開閉可能に取り付けられる開閉扉と、前記開閉扉の開閉を検知する開閉センサと、を備え、
前記開閉センサが、前記開閉扉が開いていることを検知した場合、前記計数ホッパーは作動しないように構成される
ことを特徴とする請求項１１乃至請求項１４のいずれか一項に記載の遊技媒体貸出機。
【請求項１６】
前記本体は、
前記払い出しホッパーの上方に設けられ、前記払い出しホッパーに前記遊技媒体を補充するための遊技媒体補充部を備え、
前記遊技媒体補充部は、
前記本体の正面を構成する正面板に開閉可能に取り付けられる開閉扉と、前記本体の側部を構成する側板に設けられる側板傾斜部と、前記本体の背部を構成する背板に設けられる背板傾斜部と、を備え、前記側板傾斜部及び前記背板傾斜部は、前記本体の鉛直方向の中心軸に向かうにつれて下方に傾斜する
ことを特徴とする請求項１１乃至請求項１４のいずれか一項に記載の遊技媒体貸出機。
【請求項１７】
前記側板傾斜部の下端及び前記背板傾斜部の下端は、異なる高さ位置に設けられている
ことを特徴とする請求項１６に記載の遊技媒体貸出機。
【請求項１８】
前記本体、前記払い出しホッパー及び計数ホッパーの少なくともいずれか一つにおいて、
前記遊技者が計数のために前記遊技媒体を前記開口に投入する際の投入場所を案内表示する第二表示手段を、備え、
前記払出機能・計数機能兼備用部材は、前記第二表示手段に対応する位置に前記第二表示手段から放射する光を透過する光透過部を備える
ことを特徴とする請求項１１乃至請求項１７のいずれか一項に記載の遊技媒体貸出機。
【請求項１９】
貨幣を投入する貨幣投入口、カードを挿入するカード挿入口及び遊技状況を表示するモニタの少なくともいずれかを、前記払い出しホッパーの上方に備える
ことを特徴とする請求項１１乃至請求項１８のいずれか一項に記載の遊技媒体貸出機。
【請求項２０】
前記計数ホッパー及び前記払い出しホッパーは、
前記遊技媒体をカウントするカウントセンサ、前記遊技媒体を一時的に収納する複数のメダル収納孔を備えるとともに前記遊技媒体を一つずつ前記カウントセンサに放出する計数回転盤及び前記計数回転盤を周方向に正逆回転させる駆動手段を備えた計数機器と、
前記計数機器の上に設けられ前記遊技媒体を貯留する貯留部と、をそれぞれ備えている
ことを特徴とする請求項１乃至請求項１９のいずれか一項に記載の遊技媒体貸出機。
【請求項２１】
前記計数ホッパー及び前記払い出しホッパーの前記計数機器同士及び前記貯留部同士は同じ構造からなる
ことを特徴とする請求項２０に記載の遊技媒体貸出機。
【請求項２２】
前記計数ホッパー及び前記払い出しホッパーは、前記計数機器を支持するベース部材をそれぞれ備え、前記ベース部材の高さ寸法はそれぞれ異なる
ことを特徴とする請求項２０又は請求項２１に記載の遊技媒体貸出機。
【請求項２３】
前記計数機器において、二つ以上の前記カウントセンサが異なる位置に設けられている
ことを特徴とする請求項２０乃至請求項２２のいずれか一項に記載の遊技媒体貸出機。
【請求項２４】
前記遊技者に前記遊技媒体を払い出す際に、前記払い出しホッパーの前記カウントセンサが所定の時間前記遊技媒体を検知しない場合、正回転していた前記計数回転盤を逆回転させる
ことを特徴とする請求項２０乃至請求項２３のいずれか一項に記載の遊技媒体貸出機。
【請求項２５】
前記払い出しホッパーから払い出された前記遊技媒体の払い出し数及び前記遊技者が遊技によって獲得した前記遊技媒体の獲得数がゼロであり、かつ、前記計数ホッパーの前記カウントセンサが前記遊技媒体を検知した場合、前記計数ホッパー及び前記払い出しホッパーが作動しない
ことを特徴とする請求項２０乃至請求項２４のいずれか一項に記載の遊技媒体貸出機。
【請求項２６】
前記払い出しホッパーから払い出された前記遊技媒体の払い出し数及び前記遊技者が遊技によって獲得した前記遊技媒体の獲得数がゼロであり、かつ、前記計数ホッパーの前記カウントセンサが前記遊技媒体を検知した場合、報知手段にて報知する
ことを特徴とする請求項２０乃至請求項２５のいずれか一項に記載の遊技媒体貸出機。
【請求項２７】
前記計数ホッパー及び前記払い出しホッパーは、一方が稼働しているときは他方は停止する
ことを特徴とする請求項２０乃至請求項２６のいずれか一項に記載の遊技媒体貸出機。
【発明の詳細な説明】
【技術分野】
【０００１】
本発明は、遊技媒体（例えばメダル等）を用いて遊技を行う遊技機（例えばスロットマシン等）に隣接して設置され、遊技媒体の貸出を行う遊技媒体貸出機に関する。
【背景技術】
【０００２】
以下、遊技媒体としてメダルを用いる場合を例にとって、説明する。
近年、各遊技機に対して１対１対応で、メダル貸出機能を有する装置だけでなく、メダル計数機能を有する装置の設置が、遊技者の利便性の観点から望まれている。
例えば、特許文献１には、払い出しホッパーからメダル払出口にメダルを払い出す遊技用装置が開示されている。
【０００３】
また、特許文献２には、遊技で獲得したメダルを遊技者の手でメダル投入口から投入して計数することで遊技者の利便性を高めた遊技設備のメダル供給機が開示されている。
【０００４】
このような特許文献１，２の各装置を組み合わせることで、遊技機に隣接する装置として、例えば、メダル貸出機能とメダル計数機能を有し、筐体に、払い出しメダル用受皿と、その下方に位置する計数メダル用受皿とを別々に備えた装置（以下、「従来装置」と称する。）があった。
【先行技術文献】
【特許文献】
【０００５】
【特許文献１】特開２００２−１７７６１９号公報
【特許文献２】特開２００８−２００２５８号公報
【発明の概要】
【発明が解決しようとする課題】
【０００６】
しかしながら、前記した従来装置では、構造上、払い出しメダル用受皿の容量が制限され、例えば、５０枚程度のメダルを収容することはできても、２００枚以上のメダルを収容することができないなど、遊技者の利便性が悪いという問題があった。
また、そのような従来装置において、払い出しメダル用受皿の代わりにメダル払出用ノズルを設けようとすると、構造上、そのメダル払出用ノズルが邪魔になって計数メダル用受皿にメダルを投入しにくくなり、やはり遊技者の利便性が悪いという問題があった。
【０００７】
そこで、本発明は、このような事情に鑑みてなされたものであり、遊技媒体の払出機能と計数機能を兼ね備えるとともに、遊技者の利便性を高めた遊技媒体貸出機を提供することを課題とする。
【課題を解決するための手段】
【０００８】
前記課題を解決するために、本発明は、遊技媒体を用いて遊技を行う遊技機に隣接して設置され、遊技者によって貨幣が投入されると所定数の遊技媒体を払い出す払出機能とともに前記遊技媒体の計数機能を有する遊技媒体貸出機であって、前記遊技者が計数のために投入する前記遊技媒体を受ける計数遊技媒体受皿部と、前記計数遊技媒体受皿部から計数ホッパーまでの計数遊技媒体通路部の少なくとも一部と、前記遊技媒体の払い出しホッパーから遊技媒体払い出し口までの払い出し遊技媒体通路部の少なくとも一部と、を一体の部材として構成した払出機能・計数機能兼備用部材を備えることを特徴とする。
その他の手段については後記する。
【発明の効果】
【０００９】
本発明によれば、遊技媒体の払出機能と計数機能を兼ね備えるとともに、遊技者の利便性を高めた遊技媒体貸出機を提供することができる。
【図面の簡単な説明】
【００１０】
【図１】本実施形態の遊技媒体貸出機の全体構成図であり、（ａ）は正面図で、（ｂ）は右側面図である。
【図２】本実施形態の遊技媒体貸出機の斜視図であり、（ａ）は左手前から見た場合の図で、（ｂ）は右手前から見た場合の図である。
【図３】（ａ）は図２（ｂ）におけるＡ−Ａ矢視断面図であり、（ｂ）は図２（ａ）におけるＢ−Ｂ矢視断面図である。
【図４】払出機能・計数機能兼備用部材の構成を示す部分図であり、（ａ）は回転軸８の説明図で、（ｂ）は回転軸９の説明図で、（ｃ）は回転軸１０の説明図である。
【図５】遊技媒体貸出機の内部構造の概要図であり、（ａ）は下方向誘導部材を用いた場合の図で、（ｂ）は背面方向誘導部材を用いた場合の図である。
【図６】計数ホッパーの斜視図である。
【図７】第一応用例の遊技媒体貸出機における払出機能・計数機能兼備用部材の斜視図であり、（ａ）は蓋を閉めた場合の図で、（ｂ）は蓋を開けた場合の図である。
【図８】第一応用例の遊技媒体貸出機における払出機能・計数機能兼備用部材について、（ａ）は上方から見た場合の図で、（ｂ）は右手前下から見た場合の図で、（ｃ）は右奥から見た場合の図である。
【図９】第二応用例の遊技媒体貸出機における払出機能・計数機能兼備用部材の斜視図であり、（ａ）は蓋を取り付ける前の図で、（ｂ）は蓋を取り付けた後の図である。
【図１０】第三応用例の遊技媒体貸出機におけるメダル補充部の斜視図である。
【発明を実施するための形態】
【００１１】
以下、本発明を実施するための形態（以下、「実施形態」と称する。）について、図面を参照（言及図以外の図面も適宜参照）しながら説明する。なお、本実施形態における「上」、「下」、「左」、「右」、「手前（正面）」、「奥（背面）」の各方向については、図２（ａ）に示す通りとし、他図についてもそれにならうものとする。
【００１２】
図１（ａ）（ｂ）に示すように、遊技媒体貸出機１は、メダル（遊技媒体）を用いて遊技を行う遊技機（不図示）に隣接して設置される装置である。
遊技媒体貸出機１は、縦長直方体形状の本体２と、貨幣投入口３と、払出機能・計数機能兼備用部材５０と、ノズル４と、制御部１０１と、払い出しホッパー１０２と、計数ホッパー１０３と、を主に備えている。
【００１３】
本体２は、遊技媒体貸出機１の各装置を収納する筐体である。本体２は、底板２０１と、側板２０２，２０２と、背板２０３と、天板２０４と、手前側の開口部を塞ぐ複数の正面板（２１１ａ，２１２ａ，２１３ａ，２１４ａ）と、を含んで構成されている。また、図１（ｂ）に示すように、本体２の内部は、上から順番に、ビルバリユニット収納部２１１と、制御部収納部２１２と、メダル補充部（遊技媒体補充部）２１３と、払い出しホッパー収納部２１４と、計数ホッパー収納部２１５とに仕切られている。
【００１４】
ビルバリユニット収納部２１１は、遊技者が投入する貨幣を識別するビルバリユニット（貨幣識別装置）を収納する部位である。ビルバリユニット収納部２１１は、手前側の開口部が正面板２１１ａによって塞がれている。正面板２１１ａには、遊技者によって投入される貨幣の投入口である貨幣投入口３が形成されている。
【００１５】
制御部収納部２１２は、遊技媒体貸出機１における各種制御を行う制御部１０１を収納する部位である。制御部１０１は、手前側の開口部を塞ぐ正面板２１２ａに一体形成されている。正面板２１２ａには、カード挿入口２１２ｂ及びタッチパネル式モニタ２１２ｃが形成されている。カード挿入口２１２ｂには、遊技者の情報が記憶されたカードが挿入される。タッチパネル式モニタ２１２ｃには、遊技者の遊技状況（例えば、払い出しメダル枚数、獲得メダル枚数等）が表示される。
【００１６】
メダル補充部２１３は、払い出しホッパー１０２にメダルを補充するための部位である。メダル補充部２１３の手前側の開口部は、板状の開閉扉（正面板）２１３ａで塞がれている。メダル補充部２１３の内部は、払い出しホッパー１０２に連通する中空部を備えている。
【００１７】
払い出しホッパー収納部２１４は、払い出しホッパー１０２を収納する部位である。払い出しホッパー収納部２１４の手前側の開口部は、払出機能・計数機能兼備用部材５０に一体形成された正面板２１４ａで塞がれている。
【００１８】
計数ホッパー収納部２１５は、計数ホッパー１０３を収納する部位である。計数ホッパー収納部２１５の手前側の開口部は、払出機能・計数機能兼備用部材５０に一体形成された正面板２１４ａに塞がれている。
【００１９】
ノズル４は、ノズル本体５とノズルトップ６から構成され、払い出しホッパー１０２から払い出されるメダルを遊技機の下皿に誘導する。
払い出しホッパー１０２は、制御部１０１の指示により所定数のメダルを払い出す。
計数ホッパー１０３は、計数したメダルの枚数を制御部１０１に伝える。
【００２０】
遊技媒体貸出機１では、遊技者によって貨幣投入口３から貨幣が投入されると、制御部１０１からの指示により、投入された貨幣の価値（金額）に応じて、払い出しホッパー１０２によって所定数のメダルを払い出す。
【００２１】
図２も併せて参照すると、払出機能・計数機能兼備用部材５０は、遊技者が計数のために投入するメダルを受ける計数メダル受皿部７（計数遊技媒体受皿部）と、計数メダル受皿部７から計数ホッパー１０３までの計数メダル通路（図２（ａ）参照。計数遊技媒体通路部）の少なくとも一部と、払い出しホッパー１０２からノズル４のノズルトップ６（遊技媒体払い出し口）までの払い出しメダル通路（図２（ｂ）参照。払い出し遊技媒体通路部）の少なくとも一部と、を一体の部材として構成したものである。なお、計数メダル受皿部７は、開口部を有する。開口部は、払出機能・計数機能兼備用部材５０の上部に設けられ、上向き（真上（鉛直）方向だけでなく斜め上方向でもよい。）に開口し、遊技者が計数のために投入する遊技媒体を受ける部分である。
【００２２】
図３（ａ）に示すように、払い出しメダル通路は、払い出しホッパー１０２から払出機能・計数機能兼備用部材５０の内部の左側を通って、ノズル４へ通じている。
図３（ｂ）に示すように、計数メダル通路は、計数メダル受皿部７から払出機能・計数機能兼備用部材５０の内部の右側を通って、計数ホッパー１０３へ通じている。
【００２３】
図４（ａ）に示すように、ノズル４は、ノズルトップ６の位置を遊技機の下皿の位置に合わせるためにノズル４を水平方向に回転させる回転軸８を有している。
また、図４（ｂ）に示すように、ノズル４は、ノズルトップ６の位置を遊技機の下皿の位置に合わせるためにノズルトップ６を、上下を含む平面方向に回転させる回転軸９を有している。
【００２４】
また、図４（ｃ）に示すように、ノズル４は、ノズルトップ６の位置を遊技機の下皿の位置に合わせるためにノズル４を、上下を含む平面方向に回転させる回転軸１０を有している。
なお、例えば、回転軸８はノズル４の位置を保持する機構（例えばバネでピンに負荷を加えて凹部にピンを嵌入させる機構）を有し、回転軸９はノズルトップ６の位置を保持する機構を有さず、回転軸１０はノズル４の位置を保持する機構を有さない。つまり、ノズル４は、ノズルトップ６が遊技機の下皿に乗せられた状態で使用されるので、回転軸９と回転軸１０には前記した保持機構は必須ではない。しかし、回転軸８，９，１０に関する保持機構の有無は本実施形態の例に限定されない。
【００２５】
図５（ａ）に示すように、計数メダル受皿部７から投入されたメダルが計数メダル通路におけるオートスタートセンサ１１の近傍を通過すると、オートスタートセンサ１１から制御部１０１を介して計数ホッパー１０３にメダルを検知した信号が送られて、計数ホッパー１０３が始動する。計数ホッパー１０３の奥の本体２の下方向にメダル落下口を有する下方向誘導部材１２が設けられている場合、計数ホッパー１０３から放出されたメダルは、遊技媒体貸出機１の下方向に誘導され、例えば遊技媒体貸出機１の下方に設けられたメダル回収システムに回収される。下方向誘導部材１２のメダル落下口は、本体２の底部を構成する底板２０１の奥側（背板２０３側）に形成された開口部２０１ａに連通している。
【００２６】
また、図５（ｂ）に示すように、計数ホッパー１０３の奥の本体２の背面方向にメダル落下口を有する背面方向誘導部材１３が設けられている場合、計数ホッパー１０３から放出されたメダルは、遊技媒体貸出機１の背面（奥）方向に誘導され、例えば島と島の間の下方に設けられたメダル回収システムに回収される。背面方向誘導部材１３のメダル落下口は、本体２の背部を構成する背板２０３に形成された開口部２０３ａに連通している。
【００２７】
図５（ａ）に示すように、払い出しホッパー１０２は、計数機器１１１と、貯留部１１２と、ベース部材１１３とを含んで構成されている。また、計数ホッパー１０３は、計数機器１１１と、貯留部１１２と、ベース部材１１３とを含んで構成されている。払い出しホッパー１０２及び計数ホッパー１０３のそれぞれの計数機器１１１及び貯留部１１２は同じ構造からなる。払い出しホッパー１０２は、計数ホッパー１０３と手前−奥方向の向きが反対となるようにして、計数ホッパー１０３の上方に配置されている。ここでは、代表して計数ホッパー１０３の詳細構成について説明する。
【００２８】
図６に示すように、計数機器１１１は、メダルを一枚ずつカウントする機器である。カウントされたメダル数は、制御部１０１に記憶されるようになっている。計数機器１１１は、計数回転盤１２１と、駆動手段１２２と、放出口１２３と、放出ローラ１２４と、第二カウントセンサ１２５とを含んで構成されている。
【００２９】
計数回転盤１２１は、円板状を呈し、計数機器１１１の上部に水平に配置される。計数回転盤１２１には上下方向に貫通し、メダルよりも若干大きな外径からなる複数のメダル収納孔１２１ａが形成されている。メダル収納孔１２１ａは、本実施形態では５個形成されている。計数回転盤１２１は、駆動モータからなる駆動手段１２２によって周方向に正逆回転する。具体的な図示は省略するが、計数機器１１１の上面には、メダル収納孔１２１ａに収納されたメダルを放出口１２３側に誘導する誘導手段が形成されている。
【００３０】
計数回転盤１２１は、周方向に回転することにより、貯留部１１２に貯留されたメダルをメダル収納孔１２１ａに一時的に収納する。メダル収納孔１２１ａに収納されたメダルの回転が前記誘導手段によって阻止されて、メダルはメダル収納孔１２１ａによって放出口１２３方向に押し出され、放出ローラ１２４を付勢力に抗して押し広げて外方に向けて放出され、放出ローラ１２４の元へ戻ろうとする付勢力により放出口１２３から弾き出される。
【００３１】
カウントセンサを兼ねた放出ローラ１２４は、放出口１２３と計数回転盤１２１との間に設置されている。放出ローラ１２４は、メダルの放出方向に対して水平方向に移動可能な可動レバー１２４ａを備えている。計数回転盤１２１から放出されたメダルが放出ローラ１２４を押圧することで、メダルがカウントされるようになっている。放出ローラ１２４でカウントされた結果は制御部１０１に送信されるようになっている。
【００３２】
また、放出ローラ１２４は、可動レバー１２４ａの移動距離によって、メダルの外径を検知しており、その検知結果が制御部１０１に送信されるようになっている。可動レバー１２４ａの移動距離が、予め設定された基準移動距離と異なる場合、制御部１０１は、規格外のメダル（異物）が混入したとして報知手段によって報知するように構成されている。また、規格外のメダルが混入した場合は、払い出しホッパー１０２及び計数ホッパー１０３の動作を停止するように構成してもよい。
【００３３】
第二カウントセンサ１２５は、放出口１２３の近傍に設置されている。第二カウントセンサ１２５は、本実施形態では近接センサを用いている。第二カウントセンサ１２５は、放出口１２３を通過するメダルを非接触でカウントするようになっている。第二カウントセンサ１２５でカウントされた結果は制御部１０１に送信されるようになっている。
【００３４】
放出ローラ１２４及び第二カウントセンサ１２５は、本実施形態では前記したように構成したが、いずれもメダルをカウントできるセンサであれば特に種類を制限されるものではない。放出ローラ１２４及び第二カウントセンサ１２５のうち少なくとも一方は、通過するメダルの直径 、材質、厚み、表裏面の模様等を識別することによって、規格外のメダル（異物）が混入したことを検知するものであることが好ましい。
【００３５】
貯留部１１２は、計数機器１１１の上に形成され、中空部を備えた箱状体である。貯留部１１２の上部は開放されており、流下したメダルを貯留部１１２に貯留するようになっている。貯留部１１２の下部も開放されており計数回転盤１２１のメダル収納孔１２１ａにメダルが落下するようになっている。
【００３６】
ベース部材１１３は、計数機器１１１の下部に形成される部材であって、計数ホッパー１０３の高さ調節のための部材である。
【００３７】
図５（ａ）に示すように、払い出しホッパー１０２のベース部材１１３と、計数ホッパー１０３のベース部材１１３とは高さが異なっている。本実施形態では、払い出しホッパー１０２のベース部材１１３の高さは、計数ホッパー１０３のベース部材１１３よりも大きくなっている。
【００３８】
図１等に示すように、制御部１０１は、演算手段、記憶手段、カード挿入口２１２ｂ、カード読み取り部、タッチパネル式モニタ２１２ｃ等を含んで構成されている。記憶手段は、払い出しホッパー１０２から払い出された払い出しメダル枚数、遊技者が遊技によって獲得した獲得メダル枚数及び計数ホッパー１０３によってカウントされた計数メダル枚数を記憶する。演算手段は、記憶手段で記憶された各メダル枚数を読み出して差枚等を演算する。
【００３９】
制御部１０１は、本実施形態では、払い出しホッパー１０２から払い出された払い出しメダル枚数及び遊技者が遊技によって獲得した獲得メダル枚数がゼロであるにも関わらず、計数メダルがカウントされた場合、不正行為の可能性もあるため払い出しホッパー１０２及び計数ホッパー１０３の動作が停止するようになっている。この際は、報知手段によって音や照明等で外部に報知するように構成してもよい。
【００４０】
また、本実施形態に係る払い出しホッパー１０２は、遊技者が貨幣を投入したにも関わらず、払い出しホッパー１０２の放出ローラ１２４及び第二カウントセンサ１２５が所定時間メダルを検知しない場合、正回転していた計数回転盤１２１を一時的に逆回転させ、再び正回転させる。このように計数回転盤１２１の回転方向を変更することで、貯留部１１２に滞留しているメダルをメダル収納孔１２１ａに導くことができる。当該逆回転操作を行ったにも関わらず払い出しホッパー１０２の放出ローラ１２４及び第二カウントセンサ１２５が所定時間メダルを検知しない場合、払い出しエラーであるとして、計数回転盤１２１の回転を停止するとともに報知手段によって音や照明等で外部に報知するようになっている。
【００４１】
また、払い出しホッパー１０２と計数ホッパー１０３は、同時に稼働する構造であってもよいが、本実施形態ではいずれか一方が稼働している際は、他方は停止するようになっている。
【００４２】
このようにして、本実施形態の遊技媒体貸出機１によれば、計数メダル受皿部７と、計数メダル通路の少なくとも一部と、払い出しメダル通路の少なくとも一部と、を一体の部材として構成した払出機能・計数機能兼備用部材５０を用いることで、メダルの払出機能と計数機能を兼ね備えるとともに、遊技者の利便性を高めることができる。つまり、ノズル４が邪魔になって計数メダル受皿部７にメダルを投入しにくい等の事態を回避することができる。また、払出機能・計数機能兼備用部材５０を部品点数の少ないシンプルな構造としたことで、製造コストを低減することができる。
【００４３】
また、計数メダル受皿部７が、払出機能・計数機能兼備用部材５０の上部に設けられ、上向きに開口していることにより、遊技者は、計数のためのメダルを計数メダル受皿部７により容易に投入できる。
【００４４】
また、払い出しホッパー１０２から払い出されるメダルを遊技機の下皿に誘導するノズル４を計数メダル受皿部７の下方に設けたことで、遊技者による計数メダルの投入を妨げず、かつ、払い出し枚数の上限を考慮する必要がなくなり、遊技者の利便性をさらに高めることができる。
【００４５】
また、ノズル４が、回転軸８，９，１０を備えていることで、遊技機の下皿の構造や位置が多様な遊技機のいずれに対しても、ノズル４のノズルトップ６の位置を遊技機の下皿の位置に正確に合わせ、メダルを遊技機の下皿内に確実に払い出すことができる。ノズル４において、なお、回転軸８，９，１０のうち、全部ではなく一部を設けるようにしてもよい。
【００４６】
ここで、新規の店舗であれば、遊技媒体貸出機１の構造を考慮しつつ、島に設けるメダル回収システムの位置や遊技機が載置される載置台と遊技機との間の前板（下板）等を適宜設定することができる。ところが、既存の店舗であると、メダル回収システムの位置や前板（下板）の形状を変更することは困難であるため、メダルを外部に放出する遊技媒体貸出機１の開口部の位置とメダル回収システムの位置等とを合わせる作業が必要となる。この点、本実施形態によれば、下方向誘導部材１２及び背面方向誘導部材１３を使い分けることで、遊技媒体貸出機１から外部に放出する開口部の位置を容易に変更できるため、新規の店舗はもとより、既存の店舗であっても設置作業が容易になる。
【００４７】
下方向誘導部材１２は、底板２０１のどの位置に設置してもよいが、島のメダル回収システムは奥側に設けられることが多いことから、当該回収システムに対応して底板２０１の奥側に設けることが好ましい。
【００４８】
また、払い出しホッパー１０２が、計数ホッパー１０３の上方で、かつ、下皿よりも充分に高い位置に設置されている。これにより、払い出しホッパー１０２から下皿までメダルをスムーズに流下させることができる。また、計数ホッパー１０３は、払い出しホッパー１０２よりも下方で、かつ、計数メダル受皿部７よりも充分に低い位置に設置されている。これにより、計数メダル受皿部７から計数ホッパー１０３までメダルをスムーズに流下させることができる。
【００４９】
また、貨幣投入口３、カード挿入口２１２ｂ及びタッチパネル式モニタ２１２ｃは、払い出しホッパー１０２よりも上、つまり、遊技媒体貸出機１の上部に設けられているため、遊技者が貨幣やカードを投入しやすく、かつ、タッチパネルの操作も容易になっている。
【００５０】
また、払い出しホッパー１０２及び計数ホッパー１０３は、必ずしも同じ構造である必要はないが、本実施形態では計数機器１１１及び貯留部１１２の構造が同等になっている。これにより、装置の共有化が図れるためコストを削減することができる。また、ベース部材１１３で高さを調節することができるため、本体２における所望の高さ位置に各ホッパーを配置させることができる。
【００５１】
また、払い出しホッパー１０２及び計数ホッパー１０３でメダルをカウントするカウントセンサは少なくともそれぞれ一つずつ設ければよいが、本実施形態のように計数機器１１１の異なる位置に二つのカウントセンサ（放出ローラ１２４及び第二カウントセンサ１２５）を備えることで、メダルをより正確にカウントすることができる。また、放出ローラ１２４及び第二カウントセンサ１２５のうち少なくとも一方を、通過するメダルの直径 、材質、厚み、表裏面の模様等を検知するセンサとすることで、規格外のメダル（異物）の混入を検出することができる。
【００５２】
また、払い出しホッパー１０２及び計数ホッパー１０３は、同時に稼働してもよいが、本実施形態では、一方が稼働しているときは他方は停止するようになっている。これにより、最大消費電力を抑えることができる。
【００５３】
（第一応用例）
次に、遊技媒体貸出機１の第一応用例について説明する。図７に示すように、第一応用例の遊技媒体貸出機１における払出機能・計数機能兼備用部材５０ａは、図１〜図６の払出機能・計数機能兼備用部材５０と比較して、蓋１４、ＬＥＤ（Light Emitting Diode）１５（第一表示手段）（図７（ｂ）参照）、および、液体流下孔１６と液体排出孔１７（図８参照）が設けられている点で相違している。以下、払出機能・計数機能兼備用部材５０ａについて、払出機能・計数機能兼備用部材５０との共通点については説明を適宜省略し、前記した相違点について主に説明する。
【００５４】
蓋１４は、回転軸１４１を中心に可動となっている。図７（ａ）では、蓋１４は、払出機能・計数機能兼備用部材５０ａの開口部を覆う状態になっている。その状態から、遊技者は、計数のために遊技媒体を払出機能・計数機能兼備用部材５０ａの開口部に投入する際に、その開口部を開放する方向に蓋１４を動かすことができる（図７（ｂ）参照）。つまり、蓋１４は、払出機能・計数機能兼備用部材５０ａの開口部を開閉可能な構造となっている。
【００５５】
なお、蓋１４は、単に回転軸１４１を中心に可動な構造となっていてもよいし、その他に、バネ等を用いて、閉じている蓋１４（図７（ａ）参照）の先端部付近を上から一度押すことで自動的に先端部が上方に跳ね上がる構造であってもよい。また、払出機能・計数機能兼備用部材５０ａにおいて、回転軸１４１から少し下方まで連続する孔が空けてあって、蓋１４が開いているとき（図７（ｂ）参照）、回転軸１４１自体がこの連続する孔に沿って下方に滑り込むように移動して、蓋１４が開いている状態を維持するようにしてもよい。また、払出機能・計数機能兼備用部材５０ａにおいて、蓋１４が開いているとき（図７（ｂ）参照）、蓋１４の少なくとも一部と本体２の少なくとも一部とが、一方が磁石で他方が金属または磁石であることによって互いに引き付け合い、蓋１４が開いている状態を維持するようにしてもよい。
【００５６】
このようにして、遊技者が払出機能・計数機能兼備用部材５０ａの開口部に遊技媒体を投入するときは開けることができて、その他のときは閉めることができる蓋１４を設けることによって、払出機能・計数機能兼備用部材５０ａの開口部を経由してその内部に、チリや埃が入ったり、ゴミや吸殻等の異物を入れられたり、不正工作（いわゆるゴト行為）をされたりする可能性を大幅に低減することができる。
【００５７】
また、ＬＥＤ１５は、遊技者が計数のために遊技媒体を払出機能・計数機能兼備用部材５０ａの開口部に投入する際の投入場所を案内表示する表示手段である。ＬＥＤ１５は、図７（ｂ）に示すように、全体として、見た人が投入方向を意識できるように下方に向けてとがった形状となっている。遊技者は、蓋１４が開いた状態で、光っているＬＥＤ１５を見ることで、遊技媒体を投入する投入場所を容易に知ることができる。
【００５８】
なお、ＬＥＤ１５の光り方を、遊技媒体貸出機１の状態によって変えてもよい。例えば、メダルの計数可能状態のときは「白色点灯」、計数中は「白色点滅」、計数不能状態のときは「消灯」、エラー時は「赤色点滅（または）白色高速点滅」とすればよい。また、ＬＥＤ１５は、３つのＬＥＤから構成されているので、計数可能状態のときに、「白色点灯」の代わりに、３つのＬＥＤの上から下に光が流れるような点滅をさせてもよい。
【００５９】
また、ＬＥＤ１５の表示を例えば、「計数中」というように遊技媒体貸出機１の動作に連動させて文字で表示するようにしてもよい。
【００６０】
このようにして、ＬＥＤ１５を用いることで、遊技者は、遊技媒体を投入する投入場所や、遊技媒体貸出機１の状態（計数可能状態等）を容易に知ることができる。
【００６１】
なお、第一応用例の蓋１４の上面を水平に形成して、当該水平面を物を載置する載置部としてもよい。このようにすることで、蓋１４で開口部を閉じた際に、当該載置部に携帯電話、飲み物、灰皿等を載置することができる。
【００６２】
また、第一応用例では、払出機能・計数機能兼備用部材５０ａにＬＥＤ（第一表示手段）１５を設けたが、これに限定されるものではない。例えば、ＬＥＤ（第二表示手段）を払い出しホッパー１０２に設けるとともに、払出機能・計数機能兼備用部材５０ａのうち当該ＬＥＤに対応する位置にＬＥＤの光が透過可能な光透過部を設けるようにしてもよい。この光透過部は、例えば、透明な樹脂板等で構成することができる。
【００６３】
図７（ｂ）に示すように、ＬＥＤ（第一表示手段）１５を払出機能・計数機能兼備用部材５０ａに設けると、本体２側から電気配線を接続しなければならないが、ＬＥＤ（第二表示手段）を払い出しホッパー１０２の一部に設けることで、配線の接続作業を省略することができる。ＬＥＤ（第二表示手段）は、払い出しホッパー１０２、計数ホッパー１０３及び本体２の少なくともいずれか一つに形成すればよい。
【００６４】
また、図８に示すように、払出機能・計数機能兼備用部材５０ａには、液体流下孔１６（図８（ａ）（ｃ）参照）と、液体排出孔１７（図８（ｂ）（ｃ）参照）が設けられている。
【００６５】
液体流下孔１６は、払出機能・計数機能兼備用部材５０ａの開口部に流し込まれた液体を計数メダル通路（図３（ｂ）参照）から逃がすように下方に誘導する孔（ここでは７つの孔）である。
液体排出孔１７は、液体流下孔１６から下方に誘導された液体を遊技媒体貸出機１の外部に排出する孔（ここでは２つの孔）である。
【００６６】
このようにして、液体流下孔１６と液体排出孔１７を設けたことで、遊技者等の誰かが故意や過失によりジュースなどの液体を払出機能・計数機能兼備用部材５０ａの開口部から入れた場合、その液体は液体流下孔１６および液体排出孔１７を経由して払出機能・計数機能兼備用部材５０ａの外部に排出され、それにより、次のような効果を生じる。
【００６７】
まず、液体が、払出機能・計数機能兼備用部材５０ａから、その先の計数ホッパー１０３等に流れ込まないことで、その液体による計数ホッパー１０３等の機器の汚れや故障を回避することができる。また、液体が払出機能・計数機能兼備用部材５０ａの外部に排出されることで、その排出された付近に液体の痕跡が明確に残るので、払出機能・計数機能兼備用部材５０ａに液体が入れられたことを店員等が迅速に発見することができるとともに、原因究明や再発防止に寄与することができる。
【００６８】
なお、懲罰的な意味合いで、払出機能・計数機能兼備用部材５０ａの開口部から入れた液体がその入れた者にかかるように、液体排出孔１７の形状やサイズや向きを調節してもよい。
【００６９】
（第二応用例）
次に、遊技媒体貸出機１の第二応用例について説明する。図９に示すように、第二応用例の遊技媒体貸出機１における払出機能・計数機能兼備用部材５０ｂは、図１〜図７の払出機能・計数機能兼備用部材５０と比較して、蓋２４の構成が相違する。以下、払出機能・計数機能兼備用部材５０ｂについて、払出機能・計数機能兼備用部材５０との共通点については説明を適宜省略し、前記した相違点について主に説明する。
【００７０】
図９（ａ）に示すように、第二応用例に係る蓋２４は、計数メダル受皿部７に対して着脱可能になっている。蓋２４は、水平面からなる載置部２４ａと、載置部２４ａの周囲に立設する側壁部２４ｂとを有する。蓋２４は、計数メダル受皿部７の開口部に嵌め合わされる。具体的な図示は省略するが、蓋２４及び計数メダル受皿部７のいずれか一方には係合部が形成されており、他方には被係合部が形成されている。蓋２４は、係合部と被係合部とが係合することで、計数メダル受皿部７に固定される。蓋２４は、計数メダル受皿部７に一旦固定されると、例えば、店員がドライバー等の工具を使わなければ外せない構造になっている。なお、蓋２４は、水平面からなる載置部２４ａと、載置部２４ａの周囲に立設する側壁部２４ｂとを備えるようにしたが、これに限らず平板状の板材であってもよい。
【００７１】
遊技媒体貸出機１のように計数機能を備えた装置を設置した場合であっても、店舗側の都合によっては当該計数機能を採用したくない場合もある。そのような場合には、計数メダル受皿部７に蓋２４を固定することで当該計数機能の利用を制限することができる。また、払出機能・計数機能兼備用部材５０ｂの開口部を経由してその内部に、チリや埃が入ったり、ゴミや吸殻等の異物を入れられたり、不正工作（いわゆるゴト行為）をされたりする可能性を大幅に低減することができる。さらに、携帯電話、飲み物等を載置したり、灰皿として利用したりするなど蓋２４を多目的トレーとして利用ことができる。一方、店員がドライバー等の工具を使って蓋２４を取り外すことで、計数機能を利用することができる。
【００７２】
なお、第一応用例及び第二応用例では、計数メダル受皿部７の開口部に蓋１４，２４を設けるようにしたが、蓋１４，２４とは別に、計数メダル受皿部７の開口部から計数ホッパー１０３までの計数メダル通路に、メダルの流下を防止する遮蔽部を設けてもよい。遮蔽部は、例えば、計数メダル通路を覆う板状部材で構成することができる。遮蔽部を設けることにより、店舗の都合で計数機能を利用しない場合に、メダルが計数ホッパー１０３に流入するのを防ぐことができる。
【００７３】
（第三応用例）
次に、遊技媒体貸出機１の第三応用例について説明する。図１０に示すように、第三応用例の遊技媒体貸出機１は、メダル補充部２１３の構成が他の実施形態と相違する。以下、メダル補充部２１３について詳細に説明する。
【００７４】
図１０に示す第三応用例のメダル補充部２１３は、開閉扉（正面板）２１３ａと、正面板傾斜部２２１と、側板傾斜部２２２，２２２と、背板傾斜部２２３と、開閉センサ２２４とを備えている。メダル補充部２１３の直下には払い出しホッパー１０２が配置されている。メダル補充部２１３の中空部と払い出しホッパー１０２の貯留部１１２とは連通するようになっている。店員はメダル補充部２１３の中空部から払い出しホッパー１０２にメダルを補充することができる。
【００７５】
開閉扉２１３ａは、板状部材であって、メダル補充部２１３の正面側の開口部を開閉可能に取り付けられている。開閉扉２１３ａは、本実施形態では、下端側が左右方向を軸方向とするピンで支持されており、上端側が手前側に傾倒するようになっている。開閉扉２１３ａには、施錠のためのキー溝２１３ｂが形成されている。開閉扉２１３ａは、キー溝２１３ｂにキーを挿入することにより開閉可能になっている。
【００７６】
正面板傾斜部２２１は、開閉扉２１３ａ側から本体２の鉛直方向の中心軸Ｃに向けて張り出している。側板傾斜部２２２は、側板２０２，２０２にそれぞれ取り付けられており、中心軸Ｃに向けて張り出している。背板傾斜部２２３は、背板２０３に取り付けられており、本体２の中心軸Ｃに向けて張り出している。正面板傾斜部２２１、側板傾斜部２２２，２２２及び背板傾斜部２２３は、いずれも中心軸Ｃに向かうにつれて下方に傾斜するようになっている。側板傾斜部２２２の下端は、貯留部１１２の開口周縁部に臨むように配置されている。また、側板傾斜部２２２の下端と背板傾斜部２２３の下端とは異なる高さ位置に形成されている。
【００７７】
開閉センサ２２４は、本体２における開閉扉２１３ａに対応する位置に設けられている。開閉センサ２２４は、開閉扉２１３ａの開閉を検知するものであって、検知結果を制御部１０１に送信するようになっている。開閉扉２１３ａが閉じていることを検知した場合、払い出しホッパー１０２及び計数ホッパー１０３が作動するようになっている。一方、開閉扉２１３ａが開いていること検知した場合、払い出しホッパー１０２及び計数ホッパー１０３が作動しないようになっている。
【００７８】
このようにして、本実施形態のメダル補充部２１３は、正面板傾斜部２２１、側板傾斜部２２２，２２２及び背板傾斜部２２３を備えているため、開閉扉２１３ａから補充したメダルが貯留部１１２にスムーズに案内される。また、側板傾斜部２２２と背板傾斜部２２３の下端は、異なる高さ位置に形成されているため、メダルが貯留部１１２内に収納される形態が水平であったり、傾斜していたり、さらに傾斜する角度も異なったりするために、メダルが横方向に重なって橋架け構造になってしまい、下方に移動することができなくなってしまうことがないので、側板傾斜部２２２と背板傾斜部２２３との間でメダルが滞留することがない。
【００７９】
また、開閉扉２１３ａが開いている間は計数ホッパー１０３が作動しないようになっているため、補充の際にメダルが誤って計数メダル受皿部７に落下した場合の誤検知を防ぐことができる。また、メダル補充部２１３を利用した不正行為を防止することができる。
【００８０】
以上で本実施形態の説明を終えるが、本発明の態様はこれに限定されるものではない。
具体的には、本実施形態では、払出機能・計数機能兼備用部材５０の内部の左側に払い出しメダル通路を設け、右側に計数メダル通路を設けたが、これに限定されず、例えば、左側に計数メダル通路を設け、右側に払い出しメダル通路を設けるようにしてもよい。
【００８１】
また、払い出しメダル通路は、払出機能・計数機能兼備用部材５０の内部の左右方向の中央部を通って払い出しホッパー１０２からノズル４に通じるようにしてもよい。その場合、この中央部を通る払い出しメダル通路は、払い出しホッパー１０２側からノズル４まで、メダルの進行方向の断面積が略同じであってもよいし、あるいは、払い出しホッパー１０２側の断面積をメダルが入りやすくなるように大きくし、ノズル４側の断面積を払い出しホッパー１０２側よりも小さくしてもよい。このとき、計数メダル受皿部７から計数ホッパー１０３に続く計数メダル通路の入口部を、払出機能・計数機能兼備用部材５０の内部の左右方向の中央部に設けられた払い出しホッパー１０２からノズル４に続く払い出しメダル通路の左右方向の両側に設けるようにしてもよい。
【００８２】
また、計数メダル受皿部７の上部に、計数メダル受皿部７の開口部よりも大きな開口部を備えたメダル受皿（以下、「大開口メダル受皿」と称する。）を着脱自在に設けるようにしてもよい。この大開口メダル受皿に遊技者が投入したメダルは、その大開口メダル受皿の下部から計数メダル通路を下降して計数ホッパー１０３に至って計数され、メダル回収システムに回収される。したがって、この大開口メダル受皿を計数メダル受皿部７の上部に装着することによって、遊技者は、計数したいメダルを、一度に大量に、かつ、容易に、計数メダル受皿部７の上部に装着された大開口メダル受皿に投入することができる。なお、大開口メダル受皿の形状は、例えば、遊技機の前扉の開閉に支障のない形状とすればよいが、それに限定されず、遊技機の前扉の開閉に支障のある形状であっても、遊技機の前扉の開閉操作時に取り外すことで運用上の問題はまったくない。
【００８３】
また、ノズル４は必須の構成要素ではなく、代わりに、同じ位置に、払い出されたメダルを内部に収容し、遊技者が両手で押圧操作することでメダルを受け取るタイプのメダル収容手段を使用してもよい。
【００８４】
また、計数メダル通路や払い出しメダル通路は、メダルの進行方向に部材が必ずつながっている必要はなく、例えば、部材が途切れていてメダルが勢い（払い出しホッパー１０２のメダルを払い出すときの勢い、重力による勢いなど）で飛ぶ空間などを含んでいてもよい。
また、計数メダル受皿部７は、上向きに開口していなくてもよく、例えば、払出機能・計数機能兼備用部材５０の側面方向に開口するものとしてもよい。
【００８５】
また、オートスタートセンサ１１の位置は、払出機能・計数機能兼備用部材５０の計数メダル受皿部７から計数ホッパー１０３までの間の計数メダル通路の途中であれば、どの位置でもよい。
【００８６】
また、蓋１４は、１つの回転軸を中心に可動となっている構造のものでなくても、その他に、スライド式や観音扉式などの蓋であってもよい。
また、蓋１４のほかに専用ボタンを設け、その専用ボタンを押すことで、バネや専用機構によって蓋１４が開くようにしてもよい。
【００８７】
また、ＬＥＤ１５は、３つのＬＥＤから構成するものでなくても、異なる個数のＬＥＤから構成するものであってもよい。また、ＬＥＤ１５の光る色は白、赤でなくても、黄、青、緑等の他の色であってもよい。
【００８８】
また、液体流下孔１６と液体排出孔１７の孔の個数は、それぞれ、７つと２つでなくても、他の個数であってもよい。また、液体流下孔１６は、メダルが落下および滞留しない（ひっかからない）形状であれば、任意の形状でよい。また、液体排出孔１７の形状やサイズは任意でよい。また、液体排出孔１７の位置は、液体流下孔１６の真下でなくても、液体流下孔１６から下方に誘導された液体を遊技媒体貸出機１の外部に排出できるのであれば、任意の位置でよい。
【００８９】
また、本実施形態では、貨幣投入口３、カード挿入口２１２ｂ及びタッチパネル式モニタ２１２ｃの全部を払い出しホッパー１０２よりも上方に設けたが、これらのうち少なくとも一つが払い出しホッパー１０２よりも上方にあればよい。また、制御部１０１に設けるモニタは、本実施形態ではタッチパネル式としたが、タッチパネル機能を備えていないモニタであってもよい。また、計数機器１１１において、カウントセンサを３つ以上設ける構成としてもよい。
その他、具体的な構成について、本発明の趣旨を逸脱しない範囲で適宜変更が可能である。
【符号の説明】
【００９０】
１      遊技媒体貸出機
２      本体
３      貨幣投入口
４      ノズル
５      ノズル本体
６      ノズルトップ
７      計数メダル受皿部（計数遊技媒体受皿部）
８      回転軸
９      回転軸
１０    回転軸
１１    オートスタートセンサ
１２    下方向誘導部材
１３    背面方向誘導部材
１４    蓋
１５    ＬＥＤ（表示手段）
１６    液体流下孔
１７    液体排出孔
２４    蓋
２４ａ  載置部
５０，５０ａ，５０ｂ  払出機能・計数機能兼備用部材
１０１  制御部
１０２  払い出しホッパー
１０３  計数ホッパー
１１１  計数機器
１１２  貯留部
１１３  ベース部材
１２４  放出ローラ（カウントセンサ）
１２５  第二カウントセンサ（カウントセンサ）
１４１  回転軸
２０１  底板
２０２  側板
２０３  背板
２１２ｂカード挿入口
２１２ｃタッチパネル式モニタ（モニタ）
２１３  メダル補充部
２１３ａ開閉扉
２２１  正面板傾斜部
２２２  側板傾斜部
２２３  背板傾斜部
２２４  開閉センサ
【図１】
2014036831.tif 000003
【図２】
2014036831.tif 000004
【図３】
2014036831.tif 000005
【図４】
2014036831.tif 000006
【図５】
2014036831.tif 000007
【図６】
2014036831.tif 000008
【図７】
2014036831.tif 000009
【図８】
2014036831.tif 000010
【図９】
2014036831.tif 000011
【図１０】
2014036831.tif 000012
【手続補正書】
【提出日】平成25年4月18日(2013.4.18)
【手続補正１】
【補正対象書類名】特許請求の範囲
【補正対象項目名】請求項１
【補正方法】変更
【補正の内容】
【請求項１】
遊技媒体を用いて遊技を行う遊技機に隣接して設置され、遊技者によって貨幣が投入されると所定数の遊技媒体を払い出す払出機能とともに前記遊技媒体の計数機能を有する遊技媒体貸出機であって、
前記遊技者が計数のために投入する前記遊技媒体を受ける計数遊技媒体受皿部と、
前記計数遊技媒体受皿部から計数ホッパーまでの計数遊技媒体通路部の少なくとも一部と、
前記遊技媒体の払い出しホッパーから遊技媒体払い出し口までの払い出し遊技媒体通路部の少なくとも一部と、
を一体の部材として構成した払出機能・計数機能兼備用部材を備え、
前記払い出しホッパーは、前記計数ホッパーの上に配置されている
ことを特徴とする遊技媒体貸出機。
【手続補正２】
【補正対象書類名】明細書
【補正対象項目名】０００８
【補正方法】変更
【補正の内容】
【０００８】
前記課題を解決するために、本発明は、遊技媒体を用いて遊技を行う遊技機に隣接して設置され、遊技者によって貨幣が投入されると所定数の遊技媒体を払い出す払出機能とともに前記遊技媒体の計数機能を有する遊技媒体貸出機であって、前記遊技者が計数のために投入する前記遊技媒体を受ける計数遊技媒体受皿部と、前記計数遊技媒体受皿部から計数ホッパーまでの計数遊技媒体通路部の少なくとも一部と、前記遊技媒体の払い出しホッパーから遊技媒体払い出し口までの払い出し遊技媒体通路部の少なくとも一部と、を一体の部材として構成した払出機能・計数機能兼備用部材を備え、前記払い出しホッパーは、前記計数ホッパーの上に配置されていることを特徴とする。
その他の手段については後記する。